(57)【特許請求の範囲】
【請求項１】
テーブル等の支柱の下端に設けられる雌ネジ部に、雄ネジ部を螺入することにより、支柱の下端に、該支柱の軸心方向に移動可能に取り付けられるテーブル等の脚端具であって、
前記雄ネジ部と、この雄ネジ部の下端に取り付けられ、外周縁上の少なくとも２箇所に外方に開口する凹部が設けられた円盤状金具とからなる金属製の接続部材と、床面に接地する合成樹脂製の接地部材と、から構成され、前記接地部材の内部に、前記円盤状金具を前記雄ネジ部周りに回転自在に支持する凹状の受部を形成するとともに、この受部の周面部には、前記円盤状金具の凹部内を上下方向に挿通可能とする凸部を、前記凹部に対向するように、かつ、前記受部の底面から少なくとも前記円盤状金具の肉厚分上方に離間して設け、前記受部の周面部に設けられた凸部同士の間の少なくとも１箇所に、前記円盤状金具の凹部に嵌合可能で、かつ下方に弾性変形可能な回転防止部が、その上面が前記受部の底面よりわずかに上方に位置するように突設されていることを特徴とするテーブル等の脚端具。
【請求項２】
前記雄ネジ部の先端に工具受部が形成されている請求項１に記載のテーブル等の脚端具。
【発明の詳細な説明】
【０００１】
【発明の属する技術分野】
本発明は、テーブル等の支柱の下端に取り付けられる脚端具に関する。
【０００２】
【従来の技術】
従来より、例えば金属等からなるテーブル等の支柱０３の下端を床面に設置する際に、床面が傷ついたり接触音等が生じないように、また、支柱の長さを床面の設置状況に応じて微調整出来るように、支柱の下端に合成樹脂製の脚端具を設けることがある。
【０００３】
このような脚端具の一例を図６、７を用いて説明すると、まずテーブルの天板０２の下面を支持する管状の支柱０３の下端内部には、内周面に雌ネジ部０９が形成された支持部材０８がそれぞれ設けられている。
【０００４】
脚端具０１は、支柱０３の下端に嵌合可能な凹部が上面に形成されるとともに、凹部内に、支持部材０８の雌ネジ部０９内に螺入可能な金属製の雄ネジ部０５と、この下端が埋設された合成樹脂製の接地部材０７とからなり、この雄ネジ部０５を雌ネジ部０９に螺入することにより支柱０３の下端に取り付け出来るようになっているとともに、脚端具０１を回動させ、支柱に対して上下動させることで、天板０２の高さの微調整を行い、天板０２を水平に保つことができるようになっている。
【０００５】
【発明が解決しようとする課題】
しかしながら、近年において、このようなテーブルを廃棄処分する際においては、環境破壊や素材の再利用等を考慮して、材質の異なるものはそれぞれ分別して廃棄、回収する傾向にあるが、前述のような脚端具０１は、金属製の雄ネジ部０５と合成樹脂製の接地部材０７とが一体成形されているため、この脚端具０１を支柱０３から取り外すことは出来ても、材質の異なる雄ネジ部０５と接地部材０７とを分別して廃棄するには手間やコストがかかるため、非常に困難であった。
【０００６】
本発明は、このような問題点に着目してなされたもので、テーブル等の支柱に対して上下動可能に取り付けることが出来るとともに、材質の異なる部材をそれぞれ容易に分離することが可能な脚端具を提供することを目的としている。
【０００９】
【課題を解決するための手段】
本発明のテーブル等の脚端具は、テーブル等の支柱の下端に設けられる雌ネジ部に、雄ネジ部を螺入することにより、支柱の下端に、該支柱の軸心方向に移動可能に取り付けられるテーブル等の脚端具であって、
前記雄ネジ部と、この雄ネジ部の下端に取り付けられ、外周縁上の少なくとも２箇所に外方に開口する凹部が設けられた円盤状金具とからなる金属製の接続部材と、床面に接地する合成樹脂製の接地部材と、から構成され、前記接地部材の内部に、前記円盤状金具を前記雄ネジ部周りに回転自在に支持する凹状の受部を形成するとともに、この受部の周面部には、前記円盤状金具の凹部内を上下方向に挿通可能とする凸部を、前記凹部に対向するように、かつ、前記受部の底面から少なくとも前記円盤状金具の肉厚分上方に離間して設け、前記受部の周面部に設けられた凸部同士の間の少なくとも１箇所に、前記円盤状金具の凹部に嵌合可能で、かつ下方に弾性変形可能な回転防止部が、その上面が前記受部の底面よりわずかに上方に位置するように突設されていることを特徴としている。
このようにすれば、通常の使用時においては、接続部材の凹部内に回転防止部が嵌合され、接続部材と接地部材との相対回転が確実に規制されるため、天板の高さ調整時における接地部材の空転が防止される。また、回転防止部を下方に押圧するだけで接続部材が回転自在となるので、接地部材と接続部材との分離も容易に行える。
【００１０】
本発明のテーブル等の脚端具は、前記雄ネジ部の先端に工具受部が形成されていることが好ましい。
このようにすれば、雄ネジ部の先端に形成された工具受部に適当な工具を差し込み、回転させるだけで、接続部材を容易に回動することが出来る。
【００１１】
【発明の実施の形態】
以下、本発明の実施の形態を図面に基づいて説明すると、まず図１には、本発明の脚端具が分解された状態が示されており、１はテーブル等の支柱に螺合する金属製の接続部材を示し、２は、合成樹脂により有底の筒状に形成された接地部材をそれぞれ示している。
【００１２】
接続部材１は、テーブル等の天板裏面を支持する支柱の下端内部に設けられる雌ネジ部（図７参照）に螺合する雄ネジ部３と、この雄ネジ部３の下端に取り付けられる円盤状金具４とで主に構成されており、この円盤状金具４の外周縁周りには、凹部５が等間隔に４箇所形成されている。また、雄ネジ部３の先端には、マイナスドライバーＤに嵌合する溝１０が形成されている。
【００１３】
接地部材２内には、平面視円形で、所定深さを有する凹状に形成される受部６が上方に開口するように形成されている。この受部６の内径は、円盤状金具４の外径とほぼ同寸になるように形成されているので、内部に円盤状金具４を嵌挿出来るようになっているとともに、嵌挿された円盤状金具４が、受部６の周側壁６ａにより雄ネジ部３周りに回転自在に支持されるようになっている。
【００１４】
受部６の周縁には、円盤状金具４の凹部５内を上下方向に通過可能とする凸部７が、円盤状金具４におけるそれぞれの凹部５に対応して、かつ、受部底面６’の上面から円盤状金具４の板厚分上方に離間して設けられている。
【００１５】
また、受部６の周縁における互いに隣り合う一組の凸部７、７間には、受部６内に雄ネジ部３周りに回転自在に支持された円盤状金具４のいずれかの凹部５内に嵌合されることにより、円盤状金具４の受部６内での回転を規制する回転防止部８が、その上面が受部底面６’よりわずかに上方に位置するように設けられている。なお、受部底面６’における回転防止部８の下方には、回転防止部８の遊端側の下方への移動を許容する穴９が形成されている。
【００１６】
次に、これら接続部材１と接地部材２の分離方法について説明すると、まず通常の使用状態においては、図２および図３（ａ）、（ｂ）に示されるように、受部６内に嵌挿支持された円盤状金具４が受部底面６’と凸部７とに狭持されているので、接続部材１と接地部材２とが互いに軸方向に離間することなく一体的に保持されている。
【００１７】
また、特に図３（ａ）に示されるように、この時いずれか一つの凹部５が回転防止部８に嵌合されているので、雄ネジ部３の支柱の雌ネジ部への螺入時において、接続部材１が接地部材２に対して雄ネジ部３周りに回動されることがない。よって、接地部材２を軸方向に回転させるだけで、脚端具をテーブルの支柱に容易に取り付けることが出来るとともに、高さ調整を容易に行うことが出来る。
【００１８】
両部材を分離する場合は、まずドライバー等の工具をもって、回転防止部８の一部が穴９内に待避するように回転防止部材８を下方に押圧する。この押圧操作により、回転防止部材８と凹部５との係合が解除されるので、この状態を保持しつつ、溝１０にドライバーＤを嵌合して接続部材１を雄ネジ部３周りに回転させる。この回転により、回転防止部８は円盤状金具４の下面により押圧されるので、回転防止部８のドライバーＤによる押圧が不要となる。
【００１９】
さらに、図４および図５に示されるように、全ての凹部５が凸部７に対応する位置まで接続部材１を回動させる。この時点で接地部材２を固定して接続部材１を上方に引き上げれば、円盤状金具４は凸部７に邪魔されることなく受部６内から逸脱され、金属製の接続部材１と合成樹脂製の接地部材２とが分離されることになる。
【００２０】
このように、本実施形態におけるテーブル等の脚端具を構成する接続部材１と接地部材２とが、いわゆるバイオネット結合により互いに着脱可能に設けられているため、接続部材１を接地部材２に対して回転させるだけの簡単な操作で、接地部材２と接続部材１とを一体的に取り付けたり、互いに分離出来るため、手間やコストをかけることなく、材質の異なる部材を容易に分離することが出来る。
【００２１】
また、通常使用時における接続部材１の凹部５と回転防止部８との係合により、接続部材１と接地部材２との相対回転を確実に規制することが出来るので、脚端具を回動させ天板の高さを調整する際における接地部材２の空転を確実に防止出来る。
【００２２】
さらに、雄ネジ部３の上端に設けられた溝１０にマイナスドライバーＤを嵌合させて接続部材１を回動することができるので、分離作業が容易になる。
【００２３】
なお、互いに分離された接続部材１と接地部材２とを一体的に取り付ける場合は、前述の分離作業工程と反対の工程、すなわち、凹部５を凸部７に対応させた状態で、円盤状金具４の裏面にて回転防止部材８を下方に押圧しながら円盤状金具４を受部６内に嵌挿しつつ、いずれかの凹部５が回転防止部材８に係止されるまで雄ネジ部３周りに回転させればよい。
【００２４】
また、本発明の請求項１に記載の「バイオネット結合」とは、一方の部材に設けられた凸部と、他方の部材に設けられた凹部とを、両部材の軸心方向の移動、及び軸心周りの回動により係脱させることで、両部材同士を着脱自在とする結合を示している。
【００２５】
以上、本発明の実施形態を図面に基づいて説明してきたが、具体的な構成はこれら実施形態に限られるものではなく、本発明の要旨を逸脱しない範囲における変更や追加があっても本発明に含まれる。
【００２６】
例えば、凹部５、凸部７、回転防止部材８の形状、数量等は種々に変形可能であり、特に限定されるものではない。
【００２７】
【発明の効果】
本発明は以下の効果を奏する。
【００３０】
請求項１の発明によれば、通常の使用時においては、接続部材の凹部内に回転防止部が嵌合され、接続部材と接地部材との相対回転が確実に規制されるため、天板の高さ調整時における接地部材の空転が防止される。また、回転防止部を下方に押圧するだけで接続部材が回転自在となるので、接地部材と接続部材との分離も容易に行える。
【００３１】
請求項２の発明によれば、雄ネジ部の先端に形成された工具受部に適当な工具を差し込み、回転させるだけで、接続部材を容易に回動することが出来る。
【００３２】
【図面の簡単な説明】
【図１】本発明の実施形態としてのテーブル等の脚端具の構成を示す一部破断斜視図である。
【図２】図１におけるテーブル等の脚端具の通常使用時の状態を示す上面図である。
【図３】（ａ）は図２におけるＩ−Ｉ断面図であり、（ｂ）はII−II断面図である。
【図４】図１におけるテーブル等の脚端具を構成する部材が分離可能な状態を示す上面図である。
【図５】図４におけるIII−III断面図である。
【図６】本発明の従来技術としての脚端具が構成されたテーブルを示す全体斜視図である。
【図７】図６のテーブルに構成される支柱先端の断面図および脚端具の一部破断正面図を示す。
【符号の説明】
１          接続部材
２          接地部材
３          雄ネジ部
４          円盤状金具
５          凹部
６          受部
６’        受部底面
６ａ        周側壁
７          凸部
８          回転防止部
９          穴
１０          溝
Ｄ          マイナスドライバー
【図１】
0004498487.tif 000002
【図２】
0004498487.tif 000003
【図３】
0004498487.tif 000004
【図４】
0004498487.tif 000005
【図５】
0004498487.tif 000006
【図６】
0004498487.tif 000007
【図７】
0004498487.tif 000008